Podtech/llm-jp-corpus-v4-ja_patent huggingface dataset:
(57)【要約】【課題】電子部品２接続の不完全、及び半田ブリッジを設備費をかけずにプリント基板１側で防止する。【解決手段】電子部品２を実装し、各部品２を接続する配線（パターン）を有し、各部品２を半田にて固定するためのプリント基板１において、部品固定用に設けた半田接続部分（部品ランド）４以外に、電子部品２実装エリアの外側（自動半田時に流す流し方向に対し垂直方向）に半田付着部分を設けた。【選択図】    図１
2004349667.tif 000002
【特許請求の範囲】
【請求項１】
電子部品を実装し、各部品を接続する配線（パターン）を有し、各部品を半田にて固定するためのプリント基板において、部品固定用に設けた半田接続部分（部品ランド）以外に、電子部品実装エリアの外側（自動半田時に流す流し方向に対し垂直方向）に半田付着部分を設けたことを特徴とするプリント基板。
【発明の詳細な説明】
【０００１】
【発明の属する技術分野】
本発明はプリント基板の半田付着部分の配置方法に関する。
【０００２】
【従来の技術】
従来プリント基板の半田面を図２に示す。本プリント基板においては、プリント基板１上に配置される電子部品２を半田接続部分（部品ランド）４にて固定している。電子部品の実装エリアは５部分である。
近年、環境への配慮から鉛フリー半田が使用される方向であるが、鉛フリー半田は鉛含有半田に比べ融点が高い性質がある。このため半田槽を用いた半田作業時には半田槽の温度を上げざるを得なくなり、温度を上げることにより大気に触れる部分が酸化して酸化物（不純物）が発生する。この状態において基板を半田すると、半田接続部分４に半田酸化物３が付着し、部品接続が不完全となる恐れがある。又、電子部品固定用リードピッチの狭い部品については酸化物がリード間に付着（半田ブリッジ）して回路動作に影響が出る恐れもある。この防止方法としては、半田と大気が触れて半田が酸化するのを防止するため半田槽自体を密閉し、窒素を充填させる方式があるが、設備費用が多くかかる。
【０００３】
【発明が解決しようとする課題】
本発明の課題は、上記のような電子部品接続の不完全、及び半田ブリッジを設備費をかけずにプリント基板側で防止することである。
【０００４】
【課題を解決するための手段】
上記課題を解決するために、部品実装エリアの外側（部品実装エリアに影響の無い部分）に半田酸化物を付着させるエリアを設け、ここで半田酸化物を付着させることにより部品実装エリアに酸化物が到達させないようにさせる。
【０００５】
【発明の実施の形態】
本発明プリント基板の半田面を図１に示す。本基板は図２で示した他に半田酸化付着物を電子部品実装エリアに付着するのを防止する為、電子部品実装エリアの外側に半田流し方向に対し垂直に半田酸化付着物付着エリアＡ及びＢを設けている。
【０００６】
【発明の効果】
本発明においては、仮に融点が高く酸化物が発生しやすい鉛フリー半田を使用した場合においても半田酸化物が部品実装エリアに到達する前に半田酸化物付着エリアにて半田酸化物を付着させるため、部品実装エリアにおける部品接続の不完全及び半田ブリッジが防止できる。又、半田酸化付着物付着エリアをＡ、Ｂ部両方に設けることにより半田酸化付着物が付着する面積が大きくなり半田酸化物クリーニング効果も期待できる。
【図面の簡単な説明】
【図１】発明プリント基板の半田面を示す。
【図２】従来プリント基板の半田面を示す。
【符号の説明】
１：プリント基板、２：電子部品、３：半田酸化物（不純物）、４：半田接続部分（部品ランド）、５：部品実装エリア、Ａ・Ｂ：半田酸化物付着エリア
【図１】
2004349667.tif 000003
【図２】
2004349667.tif 000004
(57)【要約】【課題】比較的低コストで精度のよいロータリースイッチ方式によるスイッチ機構を提供する。【解決手段】作動ピン１の移動に基づいて開閉されるスイッチ２を備えたスイッチ機構である。そして、前記作動ピン１の移動により回転される回転板３と、この回転板３に固定された伝達ピン４と、前記回転板３の回転による前記伝達ピン４の移動によりバネ５による付勢力に逆らってスライドされるアーム６と、このアーム６のスライドにより回転動作されるロータリースイッチ２と、前記アーム６、ロータリースイッチ２及びバネ５を収めるケース７とを備えている。【選択図】  図１
2004349218.tif 000002
【特許請求の範囲】
【請求項１】
作動ピンの移動に基づいて開閉されるスイッチを備えたスイッチ機構であって、前記作動ピンの移動により回転される回転板と、この回転板に固定された伝達ピンと、前記回転板の回転による前記伝達ピンの移動によりバネによる付勢力に逆らってスライドされるアームと、このアームのスライドにより回転動作されるロータリースイッチと、前記アーム、ロータリースイッチ及びバネを収めるケースとを備えたスイッチ機構。
【請求項２】
作動ピンの移動に基づいて開閉されるスイッチを備えたスイッチ機構であって、前記作動ピンの移動により回転される回転板と、この回転板に固定された伝達ピンと、前記回転板の回転による前記伝達ピンの移動によりスライドされるアームと、このアームのスライドにより回転動作されるロータリースイッチと、前記アーム及びロータリースイッチを収めるケースとを備え、前記アームには前記伝達ピンが戻る時に当該アームを元の位置に引っ掛けて戻す引掛部を設けたスイッチ機構。
【発明の詳細な説明】
【０００１】
【発明の属する技術分野】
本発明は、自動車のドアロック検出スイッチ機構などのスイッチ機構に関する。
【０００２】
【従来の技術】
従来、ドアロック検出スイッチはルームランプの点滅を制御するために１箇所・１接点の検出点のみでよかったので、通例としてリミットスイッチを用いていた。しかし近年、電動ドアクローザー機構の導入により、半ドアの検出とＥＣＵ信号の取出しなども必要となり、２箇所・２接点以上の検出点が要求されるようになってきた。
【０００３】
【発明が解決しようとする課題】
そうすると、リミットスイッチが２個以上必要となってコストアップになる上、微妙な半ドア位置の検出精度に問題があった。本発明では、比較的低コストで精度のよいロータリースイッチ方式によるスイッチ機構を提供することを目的とする。
【０００４】
【課題を解決するための手段】
本発明を要約すると、作動ピンの移動に基づいて開閉されるスイッチを備えたスイッチ機構であって、前記作動ピンの移動により回転される回転板と、この回転板に固定された伝達ピンと、前記回転板の回転による前記伝達ピンの移動によりバネによる付勢力に逆らってスライドされるアームと、このアームのスライドにより回転動作されるロータリースイッチと、前記アーム、ロータリースイッチ及びバネを収めるケースとを備えたスイッチ機構である。また、他の発明として、作動ピンの移動に基づいて開閉されるスイッチを備えたスイッチ機構であって、前記作動ピンの移動により回転される回転板と、この回転板に固定された伝達ピンと、前記回転板の回転による前記伝達ピンの移動によりスライドされるアームと、このアームのスライドにより回転動作されるロータリースイッチと、前記アーム及びロータリースイッチを収めるケースとを備え、前記アームには前記伝達ピンが戻る時に当該アームを元の位置に引っ掛けて戻す引掛部を設けたスイッチ機構がある。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１〜３の実施形態は、作動ピン１の移動に基づいて開閉されるスイッチ２を備えたスイッチ機構である。そして、前記作動ピン１の移動により回転される回転板３と、この回転板３に固定された伝達ピン４と、前記回転板３の回転による前記伝達ピン４の移動によりバネ５による付勢力に逆らってスライドされるアーム６と、このアーム６のスライドにより回転動作されるロータリースイッチ２と、前記アーム６、ロータリースイッチ２及びバネ５を収めるケース７とを備えている。
【０００７】
さらに詳述すれば、作動ピン１は例えば、図外のドア開閉に伴って移動するストライカーであり、回転板３の切り欠き８に位置され、ケース７のガイド溝９に沿って移動する作動ピン１の移動に伴い、回転板３が所定角度の範囲で回転する。なお、回転板３はケース７に設けた軸１０の周りに回転され、軸１０には巻きつけられたバネ１１が伝達ピン４を元の位置に戻りやすくしている。ロータリースイッチ２は、内部に複数の固定接片（非図示）とこれらに対向した複数の回転接片１２を備える。図１の作動ピン１がガイド溝９の入口から内奥に移動して図２のようになる際、回転板３は反時計回りに回転して、伝達ピン４はアーム６を押し込み、アーム６の先端の凹部１４はロータリースイッチ２の凸部１３を回転させ、ロータリースイッチ２を回転動作させる。また、作動ピン１がガイド溝９の入口に戻ると、バネ５の付勢力でロータリースイッチ２は元の位置に戻り、回転板３も時計回りに回転する。このように、アーム６の進退に伴って回転接片１２が回転して、回転接片１２と固定接片との接離状態が決まる。
【０００８】
図４〜６では、前記バネ５を省き、アーム６には伝達ピン４が戻る時に当該アーム６を元の位置に引っ掛けて戻す引掛部１４を設けたスイッチ機構である。
【０００９】
本実施形態によれば、作動ピン１により回転する回転板３とアーム６を介してロータリースイッチ２を作動できたため、ロータリースイッチ２本来の精度のよい接離状態を利用可能となり、比較的低コストで製造できる。
【図面の簡単な説明】
【図１】本発明の実施形態を示す横断面図
【図２】同動作状態を示す横断面図
【図３】図１のＡ−Ａ断面図
【図４】本発明の他の実施形態を示す横断面図
【図５】同動作過程を示す横断面図（半ドア位置）
【図６】同動作状態を示す横断面図
【符号の説明】
１  作動ピン
２  ロータリースイッチ
３  回転板
４  伝達ピン
５  バネ
６  アーム
７  ケース
１４  引掛部
【図１】
2004349218.tif 000003
【図２】
2004349218.tif 000004
【図３】
2004349218.tif 000005
【図４】
2004349218.tif 000006
【図５】
2004349218.tif 000007
【図６】
2004349218.tif 000008
(57)【要約】【課題】スペースファクターを考慮した精度のよいロータリースイッチ方式によるスイッチ機構を提供する。【解決手段】作動ピン１の移動に基づいて開閉されるスイッチ２を備えたスイッチ機構である。そして、前記作動ピン１の移動により回転される回転板３と、この回転板３に固定された伝達ピン４と、前記回転板３の回転による前記伝達ピン４の移動により開閉されるロータリースイッチ２と、このロータリースイッチ２を収めるケース５とを備え、前記回転板３を支持する中心軸６は前記ケース５に通されるとともに、前記中心軸６の周りに前記ロータリースイッチ２が装備され、前記伝達ピン４は前記ケース５に形成された円弧孔７から前記ケース５の内部に挿入された状態で前記ロータリースイッチ２に伝達結合されている。また、ロータリースイッチ２から外向きに延びたアーム８の先端に形成した切り欠き９に伝達ピン４が位置決めされている。【選択図】  図１
2004349219.tif 000002
【特許請求の範囲】
【請求項１】
作動ピンの移動に基づいて開閉されるスイッチを備えたスイッチ機構であって、前記作動ピンの移動により回転される回転板と、この回転板に固定された伝達ピンと、前記回転板の回転による前記伝達ピンの移動により開閉されるロータリースイッチと、このロータリースイッチを収めるケースとを備え、前記回転板を支持する中心軸は前記ケースに通されるとともに、前記中心軸の周りに前記ロータリースイッチが装備され、前記伝達ピンは前記ケースに形成された円弧孔から前記ケースの内部に挿入された状態で前記ロータリースイッチに伝達結合されたスイッチ機構。
【請求項２】
請求項１において、ロータリースイッチから外向きに延びたアームの先端に形成した切り欠きに伝達ピンが位置決めされたスイッチ機構。
【発明の詳細な説明】
【０００１】
【発明の属する技術分野】
本発明は、自動車のドアロック検出スイッチ機構などのスイッチ機構に関する。
【０００２】
【従来の技術】
従来、ドアロック検出スイッチはルームランプの点滅を制御するために１箇所・１接点の検出点のみでよかったので、通例としてリミットスイッチを用いていた。しかし近年、電動ドアクローザー機構の導入により、半ドアの検出とＥＣＵ信号の取出しなども必要となり、２箇所・２接点以上の検出点が要求されるようになってきた。
【０００３】
【発明が解決しようとする課題】
そうすると、リミットスイッチが２個以上必要となってコストアップになる上、スペースファクターも悪化し、しかも微妙な半ドア位置の検出精度に問題があった。本発明では、スペースファクターを考慮した精度のよいロータリースイッチ方式によるスイッチ機構を提供することを目的とする。
【０００４】
【課題を解決するための手段】
本発明を要約すると、作動ピンの移動に基づいて開閉されるスイッチを備えたスイッチ機構であって、前記作動ピンの移動により回転される回転板と、この回転板に固定された伝達ピンと、前記回転板の回転による前記伝達ピンの移動により開閉されるロータリースイッチと、このロータリースイッチを収めるケースとを備え、前記回転板を支持する中心軸は前記ケースに通されるとともに、前記中心軸の周りに前記ロータリースイッチが装備され、前記伝達ピンは前記ケースに形成された円弧孔から前記ケースの内部に挿入された状態で前記ロータリースイッチに伝達結合されたスイッチ機構である。また、ロータリースイッチから外向きに延びたアームの先端に形成した切り欠きに伝達ピンが位置決めされているとよい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、作動ピン１の移動に基づいて開閉されるスイッチ２を備えたスイッチ機構である。そして、前記作動ピン１の移動により回転される回転板３と、この回転板３に固定された伝達ピン４と、前記回転板３の回転による前記伝達ピン４の移動により開閉されるロータリースイッチ２と、このロータリースイッチ２を収めるケース５とを備え、前記回転板３を支持する中心軸６は前記ケース５に通されるとともに、前記中心軸６の周りに前記ロータリースイッチ２が装備され、前記伝達ピン４は前記ケース５に形成された円弧孔７から前記ケース５の内部に挿入された状態で前記ロータリースイッチ２に伝達結合されている。また、ロータリースイッチ２から外向きに延びたアーム８の先端に形成した切り欠き９に伝達ピン４が位置決めされている。
【０００７】
さらに詳述すれば、作動ピン１は例えば、図外のドア開閉に伴って移動するストライカーであり、回転板３の切り欠き１０に位置され、ケース５のガイド溝１１に沿って移動する作動ピン１の移動に伴い、回転板３が所定角度の範囲で回転する。ロータリースイッチ２は円形の必要はなく扇形の小型のものであり、内部に複数列の固定接片１２とこれらに対向した複数列の回転接片１３を備える。
【０００８】
図１のように作動ピン１がガイド溝１１の入口から内奥に移動すると、回転板３は時計回りに回転して、伝達ピン４もロータリースイッチ２のアーム８を時計回りに回転させる。また、作動ピン１がガイド溝１１の入口に戻ると、回転板３も反時計回りに回転してロータリースイッチ２のアーム８も同様に逆回転する。そして、アーム８の回転に伴って回転接片１３が回転して、回転接片１３と固定接片１２との接離状態が決まる。
【０００９】
本実施形態によれば、作動ピン１により回転する回転板３の中心軸６の周りにロータリースイッチ２を設けて、回転板３の回転力をロータリースイッチ２に伝達できたため、横方向のスペースファクターが小さくなる上、固定接片１２と回転接片１３の接離状態を種々精度よく設定できる。
【図面の簡単な説明】
【図１】横断面図
【図２】縦断面図
【図３】ケースの横断面図
【図４】ロータリースイッチの上面図
【図５】ロータリースイッチの断面図
【符号の説明】
１  作動ピン
２  ロータリースイッチ
３  回転板
４  伝達ピン
５  ケース
６  中心軸
７  円弧孔
８  アーム
９  切り欠き
【図１】
2004349219.tif 000003
【図２】
2004349219.tif 000004
【図３】
2004349219.tif 000005
【図４】
2004349219.tif 000006
【図５】
2004349219.tif 000007
(57)【要約】【課題】Ｖ字形反射板１０の嵌め込み構造において、反射板１０と器具本体２０間の電気的な接続が可能となる蛍光灯器具構造を提供する。【解決手段】器具本体２０を備え、前記器具本体２０に固定される樋状の反射板１０を備え、前記器具本体２０のソケット３０に着脱自在に装着され前記反射板１０の近傍に配置される蛍光ランプ４０を備え、前記反射板１０における前記器具本体２０へ当接する側縁の一部に差込片１１を形成し、前記器具本体２０に前記差込片１１を受ける片受部２１を形成し、樋状の前記反射板１０の樋幅を弾発的に狭めて前記差込片１１を前記片受部２１へ着脱自在に装着し、前記反射板１０における前記差込片１１もしくはその近傍に前記着脱の際に前記器具本体２０の板面を傷めて圧接する先端の鋭利な導電接続部１２を形成する。【選択図】    図１
2004349230.tif 000002
【特許請求の範囲】
【請求項１】
器具本体を備え、前記器具本体に固定される樋状の反射板を備え、前記器具本体のソケットに着脱自在に装着され前記反射板の近傍に配置される蛍光ランプを備え、
前記反射板における前記器具本体へ当接する側縁の一部に差込片を形成し、前記器具本体に前記差込片を受ける片受部を形成し、樋状の前記反射板の樋幅を弾発的に狭めて前記差込片を前記片受部へ着脱自在に装着し、
前記反射板における前記差込片もしくはその近傍に前記着脱の際に前記器具本体の板面を傷めて圧接する先端の鋭利な導電接続部を形成することを特徴とする蛍光灯器具。
【発明の詳細な説明】
【０００１】
【発明の属する技術分野】
本発明は、反射板の嵌合構造に関する。
【０００２】
【従来の技術】
従来技術での、Ｖ字形反射板の差込片を狭めて本体に取り付する構造では、板金表面の塗装により、反射板と本体との電気的な接続が確実ではなかった。
【０００３】
【発明が解決しようとする課題】
本発明によれば、Ｖ字形反射板の差込片付近に先端の鋭利な導電接続部を形成することにより、Ｖ字形反射板の差込片を狭めて本体に取り付する際、本体の板面を傷めて圧接し、反射板と本体との電気的な接続が確実なものとなる。
【０００４】
【課題を解決するための手段】
上記目的を達成するために、Ｖ字形反射板の差込片付近に先端の鋭利な導電接続部を形成する。また、Ｖ字形反射板を取り付ける本体には、前記差込片を受ける片受部を形成し、Ｖ字形反射板の差込片を狭めて本体の片受部に取り付する際に、本体の板面を傷めて圧接することにより、反射板と本体との電気的な接続が確実なものとなる。
【０００５】
【発明の実施の形態】
本発明の実施形態を図１〜８にて説明する。図１は本発明反射板嵌合構造を採用の照明器具全体を示しており、Ｖ字形反射板１０、器具本体２０、ランプソケット３０、蛍光ランプ４０により構成される。
図２は本発明反射板嵌合構造の詳細図を示し、図３は前記反射板導電接続部のＡ−Ａ’断面図を示し、図４は嵌合時の前記断面図を示している。
Ｖ字形反射板１０には、差込片１１および導電接続部１２が設けられ、器具本体２０の片受部２１に嵌め込み固定する際に、導電接続部１２の先端１３が、器具本体２０の板面を傷めて圧接することにより、Ｖ字形反射板１０と器具本体２の電気的な接続が可能となる。
【０００６】
その他の事例として、図５〜８は導電材質を用いた導電金具５０によるＶ字形反射板１０と器具本体２０の電気的な接続を示している。導電金具５０には導電Ａ接続部５１が設けられ、Ｖ字形反射板１０の差込片１１の近辺に差し込み固定した際に圧接され、電気的に接続されまた、容易に外れない。また、導電金具５０には導電Ｂ接続部５２が設けられ、前記導金具５０を取り付けたＶ字形反射板１０を器具本体２０の片受部２１に嵌め込み固定する際に、導電金具５０の導電Ｂ接続部５２が器具本体２０の板面を傷めて圧接することにより、Ｖ字形反射板１０と器具本体２０の電気的な接続が可能となる。
【０００７】
【発明の効果】
本発明では、Ｖ字形反射板の嵌め込み構造において、反射板と器具本体間の電気的な接続が可能となる。
【図面の簡単な説明】
【図１】本発明反射板嵌合構造採用の照明器具全体図
【図２】本発明反射板嵌合部拡大図
【図３】本発明反射板導電接続部Ａ−Ａ’断面図
【図４】本発明反射板導電接続部Ａ−Ａ’断面図（器具本体取付時）
【図５】本発明反射板嵌合部拡大図（その他の事例）
【図６】本発明導電金具拡大図
【図７】本発明導電金具取付Ｂ−Ｂ’断面図
【図８】本発明導電金具取付Ｂ−Ｂ’断面図（器具本体取付時）
【符号の説明】
１０：Ｖ字形反射板
１１：差込片、１２：導電接続部、１３：導電接続部先端
２０：器具本体
２１：片受部
３０：ランプソケット
４０：蛍光ランプ
５０：導電金具
５１：導電Ａ接続部、５２：導電Ｂ接続部
【図１】
2004349230.tif 000003
【図２】
2004349230.tif 000004
【図３】
2004349230.tif 000005
【図４】
2004349230.tif 000006
【図５】
2004349230.tif 000007
【図６】
2004349230.tif 000008
【図７】
2004349230.tif 000009
【図８】
2004349230.tif 000010
(57)【要約】【課題】器具１０を平坦な床面上に置いたときに、透光パネル２０の床面への接触を防止する。【解決手段】室内高所に配置される器具本体１０を備える。前記器具本体１０に下側から装着される透光パネル２０を備える。前記透光パネル２０はそれらの下面側にシルク印刷２１を施されたものである。前記透光パネル２０の周縁付近の所々を前記器具本体１０の下部周縁付近に着脱自在に連結するための都合３組以上の止具装置３０を備える。前記止具装置３０の下端部は下方へ突出する構造である。照明器具の全体を平坦な床面上に置いたときに前記各止具装置３０の下端部が前記床面に当たり、それがために前記透光パネル２０における前記シルク印刷面２１が前記床面に当たらないように、止具装置３０の前記下端部の下方へ突出する長さを定める。【選択図】    図１
2004349226.tif 000002
【特許請求の範囲】
【請求項１】
室内高所に配置される器具本体を備え、前記器具本体に下側から装着される透光パネルを備え、前記透光パネルはそれらの下面側にシルク印刷を施されたものであり、前記透光パネルの周縁付近の所々を前記器具本体の下部周縁付近に着脱自在に連結するための都合３組以上の止具装置を備え、前記止具装置の下端部は下方へ突出する構造であり、照明器具の全体を平坦な床面上に置いたときに前記各止具装置の下端部が前記床面に当たり、それがために前記透光パネルにおける前記シルク印刷面が前記床面に当たらないように、止具装置の前記下端部の下方へ突出する長さを定めたことを特徴とする照明器具。
【発明の詳細な説明】
【０００１】
【発明の属する技術分野】
本発明は器具本体に下側から装着される透光パネルの止具装置の形状に関するものである。
【０００２】
【従来の技術】
前記同様の構造であるが、止具装置の下方へ突出する長さには留意しておらず、器具を平坦な床面上に置いたときには透光パネルも床面に接触し、傷つきの恐れがあった。
【０００３】
【発明が解決しようとする課題】
本発明の目的は、器具を平坦な床面上に置いたときに、透光パネルの床面への接触を防止することである。
【０００４】
【課題を解決するための手段】
上記目的を達成するために、照明器具の全体を平坦な床面上に置いたときに各止具装置の下端部が床面に当たり、それがために透光パネルが床面に当たらないように、止具装置下端部の下方へ突出する長さを定める。
【０００５】
【発明の実施の形態】
室内高所に配置される器具本体１０及び透光セード１１を備え、前記透光セード１１に下側から装着される透光パネル２０を備え、前記透光パネル２０は前記透光セード１１との隙間を確保するための突起を上面側に有している。その為透光パネル２０の下面側に装飾用シルク印刷を施されたものであり、透光パネル２０の周縁付近の所々を前記透光セード１１の下部周縁付近に着脱自在に連結するための都合３組以上の止具装置３０を備える照明器具である。この止具装置３０の下端部は下方へ突出する構造であり、照明器具の全体を平坦な床面上に置いたときに前記各止具装置３０の下端部が前記床面に当たり、それがために前記透光パネル２０における前記シルク印刷面２１が前記床面に当たらないように、止具装置３０の前記下端部の下方へ突出する長さを定めた。
【０００６】
また、プルスイッチ式の器具においては、点滅操作をするためのボールチェーン等の引き紐４１とその先端に設けたつまみ４２があり、ランプ交換等で器具を天井面高所から取り外し、床面等に置く場合、前記透光パネル２０の下面部と床面との間に、つまみ４２を挟むこととなり、シルク印刷面２１に当たり、傷つける可能性がある為、止具装置３０の下端部の突出する長さをつまみ４２より大きくすることにより当たるのを防止する。
【０００７】
【発明の効果】
本発明においては、止具装置下端部を下方へ突出する形状とすることにより、照明器具の全体を平坦な床面上に置いたときに止具装置の下端部が床面に当たり、透光パネルと床面との間に適度な隙間を生じ、シルク面の床面への接触を防ぐ。
また、プルスイッチの引き紐やつまみがある場合、前記と同様につまみによりシルク面への傷つきを防止することができる。
【図面の簡単な説明】
【図１】本発明器具の外観図である。
【図２】その断面図である。
【符号の説明】
１０：器具本体、１１：透光セード、２０：透光パネル、２１：シルク印刷面、３０：  止具装置、４１：引き紐、４２：つまみ
【図１】
2004349226.tif 000003
【図２】
2004349226.tif 000004
(57)【要約】【課題】従来、夜間外出時に自分を他に認識させる手段として反射板はあったが外部の光に依存する為視認性は悪く、自己存在表示能力は低かった。又、光の反射に依存するという性格上、身体への装着位置に制限があった。【解決手段】ワク（１）に電源（４）と電球（５）を取付け、更に、スイッチ（６）を設ける。発光体としてワク（１）に、半球形の発光シェル（３）をかぶせ結合する。身体に装着するため、ワク（１）にベルト（２）を取付ける。【選択図】    図１
2004349236.tif 000002
【特許請求の範囲】
【請求項１】
電源（４）、電球（５）及びスイッチ（６）を備えたワク（１）に発光シェル（３）を結合させ、装着用ベルト（２）を取付けた夜間歩行用自己表示灯。
【発明の詳細な説明】
【０００１】
【発明に属する技術分野】
この発明は、夜間外出時、身体に１個或いは複数個装着する事により、自分の存在を他に認識させる為の夜間歩行用自己表示灯に関するものである。
【０００２】
【従来の技術】
夜間外出時、自分を他に認識させる手段としての反射板はあったが、その効力は、外部からの光に依存するもので視認性は悪く、自己存在表示能力が低かった。
【０００３】
【発明が解決しようとする課題】
従来の方法には次のような欠点があった
（イ）反射板の為、それを取付ける場合、街灯や自動車の前照灯などの光源の位置を予測して装着する必要があり、装着場所に制限があった。
（ロ）光の反射を利用していた為、外部に強い光源が無いと、その目的を果せず安全上問題があった。
本発明はこれらの欠点を解消するためになされたものである。
【０００４】
【課題を解決するための手段】
ワク（１）に乾電池等の電源（４）と電球（５）を取付け、さらに、点灯消灯の為のスイッチ（６）を設ける。電源（４）、電球（５）の保護及び発光部確保の為に、ワク（１）に発光シェル（３）をかぶせ結合する。身体の装着部の太さに合わせ長さ調整の可能なベルト（２）をワク（１）に取付ける。ベルト（２）はゴム製等でも良い。
本発明は、以上の構成よりなる夜間歩行用自己表示灯である。
【０００５】
【発明の実施の形態】
本発明を使用するには、ベルト（２）にて身体の一部、腕、腰、手首、脚、足首等に１個或いは複数個装着する。スイッチ（６）が点灯の状態にて発光シェル（３）が点灯する為、暗闇においても他に自己存在を認識させる事が可能となる。
【０００６】
【実施例】
以下、本発明の実施例をのべる
（イ）ワク（１）に乾電池等の電源（４）及び電球（５）を取付ける。
（ロ）ワク（１）の操作性の良い場所にスイッチ（６）を取付ける。
（ハ）電源（４）、電球（５）の保護のため、及び発光体として発光シェル（３）をかぶせ結合する。
（ニ）身体に装着する為のベルト（２）を、ワク（１）に取付ける。このベルトは、長さ調整式或いはゴム製等とする。
本発明は以上の構成により成り立っている。
本発明を使用するには、手首や腕、或いは脚、腰等に、１個又は数個をベルト（２）により装着する。なお本発明は、犬の首等にも装着する事も可能である。
【０００７】
【発明の効果】
本発明を使用する事により、夜間のジョギング、散歩等において、自分の位置を他に知らしめる事が出来、交通事故等から身を守ることが可能となる。
【図面の簡単な説明】
【図１】本発明の斜視図
【図２】本発明の分解斜視図
【符号の説明】
１  ワク
２  ベルト
３  発光シェル
４  電源
５  電球
６  スイッチ
【図１】
2004349236.tif 000003
【図２】
2004349236.tif 000004
(57)【要約】【課題】必要な明るさを変えずに発光色を切り替える。【解決手段】器具本体１を備える。前記器具本体１に装着された単一もしくは複数の環状蛍光ランプ３を備える。前記環状蛍光ランプ３は一対の発光管が環径方向に沿った若干の隙間を介して同心円上に配置される形態である。前記器具本体１に円形状に沿って配置される多数の発光ダイオード４を備える。前記各発光ダイオード４は、前記環状蛍光ランプ３と異なる発光色で前記隙間の近傍で発光する。【選択図】    図１
2004349234.tif 000002
【特許請求の範囲】
【請求項１】
器具本体を備え、前記器具本体に装着された単一もしくは複数の環状蛍光ランプを備え、前記環状蛍光ランプは一対の発光管が環径方向に沿った若干の隙間を介して同心円上に配置される形態であり、前記器具本体に円形状に沿って配置される多数の発光ダイオードを備え、前記各発光ダイオードは、前記環状蛍光ランプと異なる発光色で前記隙間の近傍で発光するようにしたことを特徴とする環状蛍光灯器具。
【発明の詳細な説明】
【０００１】
【発明の属する技術分野】
本発明は、環状蛍光ランプの発光色を切り替える照明器具に関する。
【０００２】
【従来の技術】
従来の発光色切り替えは、発光色が異なる環状蛍光ランプを複数個使用し、必要な光源のみ選択し点灯させることで切り替えていた。この場合、出力が異なる環状蛍光ランプのを同心状に配置する必要性があり、切り替えた場合明るさも変えざるをえなかった。
【０００３】
【発明が解決しようとする課題】
本発明は、必要な明るさを変えずに発光色を切り替えることにある。
【０００４】
【課題を解決するための手段】
前記課題を解決するため、主光源の発光色は固定し、主光源の発光色と違う発光ダイオードを同時点灯することにより、混光させて発光色を変えることができるため、明るさを変えずに発光色を切り替え可能となる。
【０００５】
【発明の実施の形態】
本発明の実施形態を、図１〜図３により、説明する。器具本体１及び下方より取付係止する透光カバー２を備え、前記器具本体１に装着された一対の発光管が環径方向に沿った若干の隙間３Ａを介して同心円上に配置される環状蛍光ランプ３を備え、前記環状蛍光ランプ３が装着された状態で、発光ダイオード４が前記隙間３Ａに沿って発光するように前記器具本体１に円形状に多数の前記発光ダイオード４を配置した。なお、前記発光ダイオード４は、前記環状蛍光ランプと異なる発光色のものを使用する。
以上のように構成することにより、環状蛍光ランプ３を点灯状態のまま、発光色の異なる発光ダイオード４を点滅切替することで、混光させることができるため、透光カバー２を介して、明るさを変えずに発光色の切り替えが可能となる。
【０００６】
【発明の効果】
本発明によれば、蛍光ランプと発光ダイオードを独立した回路構成とし、各々調光させることにより色合いを変化させることが可能となる。
さらに、多数の発光ダイオードの発光色をＲＧＢの３色を順番に配置することにより、発光色を様々に変えることが可能となる。
【図面の簡単な説明】
【図１】本発明の取付状態斜視図である。
【図２】本発明の配置を説明する主要斜視図である。
【図３】本発明の配置を説明する主要平面図である。
【図４】本発明の配置を説明する主要断面図である。
【符号の説明】
１：器具本体、２：透光カバー、３：環状蛍光ランプ、
３Ａ：環状蛍光ランプの隙間、４：発光ダイオード
【図１】
2004349234.tif 000003
【図２】
2004349234.tif 000004
【図３】
2004349234.tif 000005
【図４】
2004349234.tif 000006
(57)【要約】【課題】従来のリモコン送信機は手で持って点滅ボタンを操作するため、暗い場所ではリモコン送信機を探さなければならず、また、手が濡れている等で直接さわれない場合は、照明器具の点灯動作が遅くなり不便な場合があった。本発明はこの難点を解決するものである。【解決手段】照明灯を備え、そこから離れたリモコン送信機１を備え、前記リモコン送信機（１はその本体）に人検知センサ（２はその集光レンズ）を配置し、前記リモコン送信機に人が近づくと、前記人検知センサが作動し、かつ前記リモコン送信機から信号が発信し、かつ該信号を受けて前記照明灯が点灯する。【選択図】    図１
2004349233.tif 000002
【特許請求の範囲】
【請求項１】
照明灯を備え、そこから離れたリモコン送信機を備え、前記リモコン送信機に人検知センサを配置し、前記リモコン送信機に人が近づくと、前記人検知センサが作動し、かつ前記リモコン送信機から信号が発信し、かつ該信号を受けて前記照明灯が点灯することを特徴とするリモコン形照明灯装置。
【発明の詳細な説明】
【０００１】
【発明の属する技術分野】
本発明は、ワイヤレスリモコン送信機により点滅操作を行う照明器具における、ワイヤレスリモコン送信機の構造に関する。
【０００２】
【従来の技術】
従来のリモコン送信機により点滅操作を行う照明器具における、リモコン送信機の点滅時の操作は、その都度人がリモコン送信機を手で持って点滅ボタンを押して操作している。
【０００３】
【発明が解決しようとする課題】
従来のリモコン送信機は手で持って点滅ボタンを操作するため、暗い場所ではリモコン送信機を探さなければならず、また、手が濡れている等で直接さわれない場合は、照明器具の点灯動作が遅くなり不便な場合があった。本発明はこの難点を解決することを目的とする。
【０００４】
【課題を解決するための手段】
上記目的を達成するために、リモコン送信機に人検知センサーを組み込んだものである。
【０００５】
【発明の実施の形態】
本発明の実施形態を図１・図２により説明する。図１は本発明による照明器具用のリモコン送信機で、リモコン送信機本体１の上部正面側にドーム状の集光レンズ２を設け、その内面に人体からの赤外線を感知する、人検知センサーを収納している。このドーム状の集光レンズ２はリモコン送信機の正面側をはじめ、上下左右からの検知も可能である。
集光レンズ２の下側には、例えばグリーンのＬＥＤ（発光ダイオード）３を設け、人を検知すると発光し、目につきやすいようにしている。
さらに、ＬＥＤ３の下側には、人を検知すると照明器具に点灯用の信号を発信するモードと、点灯用の信号を発信せずにグリーンのＬＥＤ３を点滅させ、リモコン送信機の有り場所を知らせるモードを切替えるスライドスイッチ４を設けている。
なお、照明器具に点灯用の信号を発信するのは、本体１の上面に設けた点灯用ＬＥＤ５である。また、手動で照明器具を点灯操作する場合は押しボタン６〜９をそれぞれ操作し「点灯、調光点灯、保安球、消灯」の切替えを行うものである。
【０００６】
図２においては、壁取り付け用の壁掛けホルダー２０に本リモコン送信機を差し込み保持し、これを部屋の入口付近に設置しておけば、その都度手動で操作するわずらわしさがなくなる。
本実施例によれば、暗がりにおいても人が近づけば検知し、照明器具を点灯する信号を自動的に送信し、照明器具を点灯するので、暗がりでリモコン送信機を探すことが不要となる効果がある。
また、点灯用の送信信号の方向等が悪く、照明器具が点灯しない場合でも、グリーンのＬＥＤ３を設けてあることから、人を検知した場合は点滅してリモコン送信機の有り場所を知らせるので、暗がりでも容易にリモコン送信機を探すことができる効果がある。
【０００７】
【発明の効果】
本発明によれば、暗がりにおいても人が近づけば検知し、照明器具を点灯する信号を自動的に送信し、照明器具を点灯するので、暗がりでリモコン送信機を探すことが不要となる効果がある。
また、点灯用の送信信号の方向等が悪く、照明器具が点灯しない場合でも、グリーンのＬＥＤ３を設けてあることから、人を検知した場合は点滅してリモコン送信機の有り場所を知らせるので、暗がりでも容易にリモコン送信機を探すことができる効果がある。
【図面の簡単な説明】
【図１】本発明の人検知センサーを搭載したリモコン送信機の斜視図である。
【図２】本発明のリモコン送信機を壁掛けホルダーに設置した使用例である
【符号の説明】
１…本体、２…集光レンズ、３…ＬＥＤ（発光ダイオード）、４…スライドスイッチ、５…点灯用ＬＥＤ、６〜９…押しボタン、２０…壁掛けホルダー
【図１】
2004349233.tif 000003
【図２】
2004349233.tif 000004
(57)【要約】【課題】吊具１と互換性が無い反射笠１１を吊具１に取付るアダプタを提供する。【解決手段】レ字形板バネ８を有した支持金具７を等間隔に配置した吊金具４を吊具１に取り付け、吊具１に取り付けた吊金具４のレ字形板バネ８を誘導する係合スリット１５を設けた受金具１２を反射笠１１の内面から吊金具４のレ字形板バネ８の位置に係合スリット１５を合わせ、受金具１２を回転させることにより係合スリット１５にレ字形板バネ８が誘導され、吊り下げる。【選択図】    図１
2004349235.tif 000002
【特許請求の範囲】
【請求項１】
高所に配置される器具本体を備え、前記器具本体は下方へ延在するソケットを具備し、前記ソケットにその下側からねじ込まれる光源を備え、前記光源を覆う下面開放形の反射笠を備え、前記反射側の頂面に前記ソケットを遊挿する取付孔を形成し、前記頂面を下側から支える支え板を備え、前記支え板に前記ソケットを遊挿する受け孔を形成し、前記受け孔の周囲に複数の係合スリットを形成し、
前記器具本体から下向きに前記ソケット周囲に沿って延在する複数の吊金具を備え、前記各吊金具の下端にレ字形に折り返されたばね性を有する係止部を形成し、前記各吊金具の前記係止部は前記頂面を介して対応する前記受け孔へ着脱自在に係合し、前記着脱は前記支え板を垂直軸回りに回転することによりかつ前記係止部のばね性によってなされるものであることを特徴とする天井用照明器具。
【発明の詳細な説明】
【０００１】
【発明の属する技術分野】
本発明は吊具と反射笠を取付ける構造に関する。
【０００２】
【従来の技術】
従来の技術では吊具と反射笠は同時に開発されるためモデルチェンジなど吊具形状が異なると反射笠の互換性が無くなるため取付できなかった。
【０００３】
【発明が解決しようとする課題】
本発明では、吊具と互換性が無い反射笠を吊具に取付るアダプタを提供することである。
【０００４】
【課題を解決するための手段】
上記目的を解決するために、レ字形板バネを有した支持金具を等間隔に配置した吊金具を吊具に取り付け、吊具に取り付けた吊金具のレ字形板バネを誘導する係合スリットを設けた受金具を反射笠の内面から吊金具のレ字形板バネの位置に係合スリットを合わせ、受金具を回転させることにより係合スリットにレ字形板バネが誘導され、吊り下げることにより目的を達成できる。
【０００５】
【発明の実施の形態】
本発明の実施形態を例を図１〜図９より説明する。吊金具４にソケット遊挿穴Ａ５を設け、凹形切り欠き９を設けたレ字形板バネ８を支持金具７に固定し前記ソケット遊挿穴Ａ５の周囲に沿って等間隔に前記支持金具７を吊金具４に配置し、前記支持金具７と異なる位置で取付穴６を前記円状のソケット遊挿穴Ａ５の周囲に沿って等間隔で吊金具４に設ける。吊具１のソケット２を吊金具４のソケット遊挿穴Ａ５に通し、吊具１のネジ穴３と吊金具４の取付穴６の位置を合わせネジ１０で固定する。
受金具１２にソケット遊挿穴Ｂ１４を設け、吊具１に取り付けた吊金具４のレ字形板バネ８を誘導する係合スリット１５をソケット遊挿穴Ｂ１４の外周に沿って等間隔に設け、前記係合スリット１５と異なる位置で取っ手１３を前記ソケット遊挿穴Ｂ１４の周囲に沿って等間隔に設ける。受金具１２を反射笠１１の内面から吊金具４のレ字形板バネ８の位置に係合スリット１５を合わせながら反射笠１１を挟み込み、受金具１２の取っ手１３を持ちながら回転させることにより係合スリット１５にレ字形板バネ８が誘導され、凹形切り欠き９が係合スリット１５に収まることにより吊金具４が受金具１２を吊ることができる。
【０００８】
【発明の効果】
本発明によれば、吊金具と受金具のアダプタにより吊具と互換性の無い反射笠を取り付けることが可能となる。
【図面の簡単な説明】
【図１】本発明器具を示す斜視図
【図２】その吊金具を示す側面図
【図３】その吊金具を示す斜視図
【図４】その受金具を示す側面図
【図５】その受金具を示す斜視図
【図６】その取付経過図１
【図７】その取付経過図２
【図８】その取付経過図３
【図９】その取付状態を示す側面図
【符号の説明】
１…吊具、２…ソケット、３…ネジ穴、４…吊金具、５…ソケット遊挿穴Ａ、
６…取付穴、７…支持金具、８…レ字形板バネ、９…凹形切り欠き、
１０…ネジ、１１…反射笠、１２…受金具、１３…取っ手、
１４…ソケット遊挿穴Ｂ、１５…係合スリット
【図１】
2004349235.tif 000003
【図２】
2004349235.tif 000004
【図３】
2004349235.tif 000005
【図４】
2004349235.tif 000006
【図５】
2004349235.tif 000007
【図６】
2004349235.tif 000008
【図７】
2004349235.tif 000009
【図８】
2004349235.tif 000010
【図９】
2004349235.tif 000011
(57)【要約】【課題】より柔軟で、色合いの変化が広く変化できる照明器具を提供する。【解決手段】二重環形蛍光ランプ１１と、赤色発光ダイオード５を組み込んだ照明器具である。前記発光ダイオード５の光を拡散して光出力を変化させる。前記発光ダイオード５は前記二重環形蛍光ランプ１１の発光管８・９間に配置する。前記二重環形蛍光ランプ１１を調光制御に応じて前記発光ダイオード５の光出力も変化させて常に一定の色合いになる手段を有する。【選択図】    図３
2004349232.tif 000002
【特許請求の範囲】
【請求項１】
二重環形蛍光ランプと、赤色発光ダイオードを組み込んだ照明器具に於いて、前記発光ダイオードの光を拡散して光出力を変化させ、前記発光ダイオードは前記二重環形蛍光ランプの発光管間に配置し、前記二重環形蛍光ランプを調光制御に応じて前記発光ダイオードの光出力も変化させて常に一定の色合いになる手段を有することを特徴とする照明器具。
【請求項２】
二重環形蛍光ランプを複数備え、その一部が寿命等で消灯した場合に、当該異常を検出して、発光ダイオードの出力を低下させてて、色合いのズレによる違和感を緩和する請求項１記載の照明器具。
【発明の詳細な説明】
【０００１】
【発明の属する技術分野】
本発明は、光色切替え機能を有する照明器具に関する。
【０００２】
【従来の技術】
従来は、発光色の違う蛍光ランプを複数本照明器具に取付け、それぞれのランプの点灯・消灯により発光色を切替えて使用する方式を採っている。
【０００３】
【発明が解決しようとする課題】
上記従来技術に於いて、複数本の発光色の違う蛍光ランプが必要であり、又、光色切替えに、一部のランプを消灯して使用する為、明るさが暗くなると言う問題点があり、使用方法に制約がある。そこで、より柔軟で、色合いの変化が広く変化できる方法として考案した。
【０００４】
【課題を解決するための手段】
色温度の高い蛍光体を使用した三重環形蛍光ランプの光をベースに、発光ダイオードからの赤色光を混合させる事により、幅広い色合いの変化が１本の蛍光ランプを使用した照明器具でも可能となる。
【０００５】
【発明の実施の形態】
本発明の実施形態を図１〜図４を用いて説明する。図１は対比説明のために、従来の一般蛍光ランプ２を取り付いた仕様の照明器具を水している。蛍光ランプから出る光は、赤・緑・青の３原色の割合によって、光原色（色温度）が決定される。
図２には代表的な色温度が違う蛍光ランプの各波長成分割合を示している。（ａ）は、色温度５，ＯＯＯＫの一般的な白色ランプ、（ｂ）は、色温度６，７ＯＯＫの青成分の多い昼光色ランプ、（Ｃ）は、色温度３，ＯＯＯＫの赤成分の多い電球色ランプを示す。この３成分の波長の光出力の割合により、色合いが決定される。その為、色温度の高い蛍光ランプと色温度の低い蛍光ランプを組み合わせてそのランプを、双方点灯した場合、個々のランプをそれぞれ点灯する場合で、発光の色温度を替えて使用している。
そのため、色温度の高い蛍光ランプと、赤色発光ダイオードの光を組み合わせて同等な効果を出す方式に於いて、特に、発光ダイオードの赤色と、蛍光ランプの発光色が、均一に拡散して部分的な色ズレ等が発生しないように、発光ダイオードの光を均等に分散させて、蛍光ランプの光と混光させるかが重要になる。
均整度の高い混光をさせるため、図３・図４に示す通り、二重環形蛍光ランプ１１の構造上の特徴を生かして行う。二重環形蛍光ランプ１１は、２個の蛍光管８，９を持ち、双方をブリッジ管１２で接合して、一体化した放電経路を持つランプである。このランプは、その構成上、２つの蛍光管の間に空間部１０がある、この空間部に、赤色発光ダイオード５を配置する事により、器具下面への発光ダイオードの光▲１▼が蛍光ランプの蛍光体を通過して拡散されるため、均一な混光が可能となる。
又、直下光▲３▼は、蛍光ランプ１１の高出力の発光色で緩和されると共に、蛍光ランプの反射光▲２▼が発光ダイオードの表面に反射して出てくるため、均整度が緩和される。その為、発光ダイオードの光を拡散させるために、プリズムや乳白色の透過性の有る拡散材を用いる必要が無くなり、シンプルな構成で均整度が上がる。
【０００６】
【発明の効果】
本発明によれば、比較的簡易的な方法で、光色変化の演出が可能となる。
【図面の簡単な説明】
【図１】従来方式の照明器具の外観図を示す。
【図２】図２の（Ａ）は色温度５，ＯＯＯＫの一般的な白色ランプ、（Ｂ）は色温度  ６，７００Ｋの青成分の多い昼光色ランプ、（Ｃ）は色温度３，ＯＯＯＫの赤成分の多い電球色ランプの発光波長成分を示す。
【図３】本発明の照明器具本体部の底面図を示す。
【図４】その側面図を示す。
【符号の説明】
１：照明器具本体、２：セード、３：ランプＡ、４：ランプＢ、６：セード取付け機構、５：赤色発光ダイオード、１１：二重環形蛍光ランプ、８：二重環形蛍光ランプの外側蛍光管、９：二重環形蛍光ランプの内側蛍光管、１０：二重票形蛍光ランプの発光管間の隙間部、１２：二重票形蛍光ランプの内外管のブリッジ部
【図１】
2004349232.tif 000003
【図２】
2004349232.tif 000004
【図３】
2004349232.tif 000005
【図４】
2004349232.tif 000006
(57)【要約】【課題】外部制御信号（５）の正パルス幅を固定とすることにより、外部制御信号の信号系の遅れにより制御信号が無くなることなく、放電灯が消灯することもない装置を提供する。【解決手段】交流電源（１）と、交流電源（１）を電源とし、外部制御信号（５）を調光端子（４）より入力しホトカプラ（６）を介して受信し、放電灯（３）を点灯させる調光形放電灯点灯装置（２）において、外部制御信号（５）は正パルス幅を固定しパルス信号の周期を変えることにより正パルスＤＵＴＹ比を変化させる仕様とし、この外部制御信号（５）により放電灯（３）の光出力は変化する。【選択図】    図１
2004349231.tif 000002
【特許請求の範囲】
【請求項１】
交流電源を電源とし、パルス信号による調光信号により放電灯を連続的に明るさを変化させて点灯することが出来る調光形放電灯点灯装置において、前記調光信号をパルスのオン期間を固定とし、オフ期間を可変とする態様としたことを特徴とする調光形放電灯点灯装置。
【発明の詳細な説明】
【０００１】
【産業上の利用分野】
本発明は、外部制御信号によって放電灯の調光度を変化することが出来る調光形放電灯点灯装置に関するものである。
【０００２】
【従来の技術】
外部信号により調光制御を行う放電灯点灯装置において、外部信号として図２に示すパルス信号を使用し、周期ＴＦを固定し正パルス幅ＴＷを変化させて正パルスＤＵＴＹ比を変える方式が一般的に採用されている。そして、この正パルスＤＵＴＹ比を図４のグラフのように変化させて調光する。この方式の場合、正パルス幅ＴＷが０となると正パルスＤＵＴＹ比は０％となるため、調光形放電灯点灯装置では外部信号が無くなったと判定することになる。この調光形放電灯点灯装置において、外部制御信号は信号系と放電灯点灯装置との絶縁を取るために一般にホトカプラ６を介して調光形放電灯点灯装置に入力するが、ホトカプラ６の遅れ特性により正パルス幅ＴＷが狭くなりすぎると調光形放電灯点灯装置がホトカプラ６を介して入力する制御信号が無くなり、正パルスＤＵＴＹ比が０％となった判断することになる。このため、正パルスＤＵＴＹ比が０％時に消灯の動作をさせるよう設定している場合、放電灯が消灯する誤動作が発生することになる。
【０００３】
【発明が解決しようとする課題】
放電灯の調光が可能な放電灯点灯装置において、外部制御信号のパルス幅を誤判定して消灯を起こさないことである。
【０００４】
【課題を解決するための手段】
本発明は、パルス信号である外部制御信号の正パルス幅を固定し、パルス信号の周期を変化させることにより、正パルスＤＵＴＹ比を変化させるようにする。
外部制御信号の正パルス幅を固定することにより、絶縁素子であるホトカプラの遅れ特性の影響があっても確実に外部制御信号を調光形放電灯点灯装置に入力することが出来るので、放電灯が消灯することはない。
【０００５】
【発明の実施の形態】
図１は、本発明の回路ブロック図である。交流電源（１）と、交流電源（１）を電源とし、外部制御信号（５）を調光端子（４）より入力しホトカプラ（６）を介して受信し、放電灯（３）を点灯させる調光形放電灯点灯装置（２）において、調光制御は図２に示すパルス信号である外部制御信号の正パルスＤＵＴＹ比（ＴＷ／ＴＦ）により行われ、外部制御信号の正パルスＤＵＴＹ比と放電灯（３）の光出力の関係は図４のように、正パルスＤＵＴＹ比が小さい場合には光出力は大きく、正パルスＤＵＴＹ比が大きい場合には光出力は小さくなる。図２の外部制御信号は、正パルス幅ＴＷを固定とし、パルス信号の周期ＴＦを変化させることにより正パルスＤＵＴＹ比を変化させる仕様としている。この仕様を図３により説明する。図３の（Ａ）と（Ｂ）は正パルス幅ＴＷは固定としている。図３（Ａ）はパルス信号の周期ＴＦを小さくした場合で、正パルスＤＵＴＹ比は大きくなり、放電灯（３）の光出力は大きくなる。これに対し図３（Ｂ）は、パルス信号の周期ＴＦを大きくした場合で、正パルスＤＵＴＹ比は小さくなり、放電灯（３）の光出力は小さくなる。
【０００６】
図１の回路ブロックで図３の様に外部制御信号（５）の正パルス幅ＴＷを固定として正パルスＴＵＴＹ比を変化させるようにすれば、外部制御信号（５）を調光形放電灯点灯装置（２）に入力する信号系の遅れがあっても、制御信号が無くなることはなく放電灯（３）が消灯することはなくなるという特徴を持つ。
【０００７】
【発明の効果】
本発明は、低温時のミニマム調光でも発振周波数が放電灯の点灯維持できる周波数で制限することが出来る為、放電灯の立消えが起きず安定した点灯が得られる。
【図面の簡単な説明】
【図１】本発明の回路ブロック図
【図２】正パルスＤＵＴＹ比の説明図
【図３】本発明の外部制御信号波形図
【図４】正パルスＤＵＴＹ比に対する光出力の関係図
【図５】従来の外部制御信号波形図
【符号の説明】
１：交流電源
２：調光形放電灯点灯装置
３：放電灯
４：調光端子
５：外部制御信号
６：ホトカプラ
【図１】
2004349231.tif 000003
【図２】
2004349231.tif 000004
【図３】
2004349231.tif 000005
【図４】
2004349231.tif 000006
【図５】
2004349231.tif 000007